【手続補正書】
【提出日】令和3年6月8日(2021.6.8)
【手続補正１】
【補正対象書類名】明細書
【補正対象項目名】００３２
【補正方法】変更
【補正の内容】
【００３２】
しかしながら、以上の説明において本発明の多くの特徴および利点が本発明の構造および機能の詳細と共に明記されてきたにせよ、開示は例示を目的としたものにすぎず、添付のクレームが表現されている用語の広義の一般的な意味により示されているかぎりにおいて本発明の原理の範囲内で、特に部品の形状、サイズおよび配設に関して、あらゆる変更を詳細に加えることが可能である、ということを理解すべきである。
本明細書に開示される発明は以下の態様を含む。
〔態様１〕
デッキ（１０４）を通って垂直に延在する貫通孔（１３６）を有するデッキ（１０４）と、
前記デッキ（１０４）の下方のフレーム（１０２）と、
を含む可搬式ステージシステム（１００、２００、３００）において、
前記貫通孔（１３６）内に延在し、上方から係合されるように構成された頂部係合部分を有するピン（１４６）と、
前記フレーム（１０２）上に組付けられ、前記ピン（１４６）に取付けられ、前記ピン（１４６）が第１の方向に回転した時点で前記デッキ（１０４）を上昇させる、高さ調整アセンブリ（１６０）と、
を特徴とする、可搬式ステージシステム（１００、２００、３００）。
〔態様２〕
前記ピン（１４６）が第２の方向に回転した時点で前記高さ調整アセンブリ（１６０）が前記デッキ（１０４）を降下させる、態様１に記載の可搬式システム（１００、２００、３００）。
〔態様３〕
前記高さ調整アセンブリ（１６０）が、ブッシング（１６２）に対して螺合式に組付けられたロッド部分（１６４）およびピン部分（１４６）を含む、態様１または２に記載の可搬式システム（１００、２００、３００）。
〔態様４〕
前記頂部係合部分が、相補的工具による上方からの係合のために構成され前記ピン（１４６）の上部表面にある工具係合要素を含む、態様１から３のいずれか１態様に記載の可搬式システム（１００、２００、３００）。
〔態様５〕
前記貫通孔（１３６）内で前記ピン（１４６）の周りにスリーブ（１３８Ａ）をさらに含む、態様１から４のいずれか１態様に記載の可搬式ステージシステム（１００、２００、３００）。
〔態様６〕
前記ステージ（１００）が複数のデッキ（１０４）を含み、前記フレーム（１０２）が前記複数のデッキ（１０４）を支持するために構成されている、態様１から５のいずれか１態様に記載の可搬式ステージシステム（１００、２００、３００）。
〔態様７〕
ピンコネクタアセンブリ（１４０）を含み、前記ピンコネクタアセンブリ（１４０）がハウジング（１４２）および該ハウジング（１４２）から延在する３つのアーム（１４２Ａ、１４２Ｂ、１４２Ｃ）を含み、各アーム（１４２Ａ、１４２Ｂ、１４２Ｃ）が、上に組付けられたさらなるピン（１４４）を有し、前記さらなるピン（１４４）は、さらなるデッキ（１０４）の貫通孔（１３６）内に延在しさらなるデッキ（１０４）のコーナを支持するように間隔取りされている、態様１から６のいずれか１態様に記載の可搬式ステージシステム（１００、２００、３００）。
〔態様８〕
前記さらなるピン（１４４）がアーム（１４２Ａ、１４２Ｂ、１４２Ｃ）上に回転可能な形で組付けられており、前記ピンコネクタアセンブリ（１４０）が、デッキ（１０４）の下方に前記アーム（１４２Ａ、１４２Ｂ、１４２Ｃ）の１つ以上を位置付けするために回転可能な形で組付けられたハウジング（１４２）を含む、態様７に記載の可搬式ステージシステム（１００、２００、３００）。
〔態様９〕
前記フレームが、前記デッキ（１０４）を支持する折畳み式骨組み（１０２）を含み、前記デッキ（１０４）が前記骨組み（１０２）に対し取外し可能な形で組付けられており、前記骨組み（１０２）が、
前記デッキ（１０４）の相対する側に近接する第１の側方骨組みアセンブリと第２の側方骨組みアセンブリであって、前記第１および第２の骨組みアセンブリの各々が、下部フレーム部材（１１２）および２つの角度付きフレーム部分（１１４）によって連結された垂直柱（１１８）を有し、前記角度付きフレーム部分（１１４）の各々が、前記垂直柱（１１８）のうちの１つの垂直柱の上部区分から下向きに前記下部フレーム部材（１１２）の中心部分まで延在し、前記角度付きフレーム部分（１１４）が前記デッキ（１０４）の下方に遮るもののない空間を形成している、第１の側方骨組みアセンブリ（１０６）および第２の側方骨組みアセンブリ（１０６）と、
前記デッキ（１０４）の相対する端部に近接する第１の端部骨組みアセンブリと第２の端部骨組みアセンブリ（１０８）であって、前記第１および第２の端部骨組みアセンブリ（１０８）が、前記第１および第２の側方骨組みアセンブリ（１０６）を連結しており、前記第１および第２の端部骨組みアセンブリ（１０８）の各々が第１および第２の端部フレーム部材（１１６）を含んでおり、前記第１の端部フレーム部材（１１６）が、前記第２の端部フレーム部材（１１６）に対して枢動する形で連結され、前記第１の端部フレーム部材（１１６）が、前記第１の側方骨組みアセンブリ（１０６）に対して枢動する形で連結され、前記第２の端部フレーム部材（１１６）が前記第２の側方骨組みアセンブリ（１０６）に対して枢動する形で連結され、前記骨組み（１０２）が、展開位置から折畳み位置へと折重なり、前記第１および第２の側方骨組みアセンブリが、前記展開位置よりも前記折畳み位置においてより接近している、第１の端部骨組みアセンブリ（１０８）および第２の端部骨組みアセンブリ（１０８）と、
を含む、態様１から８のいずれか１態様に記載の可搬式ステージシステム（１００、２００、３００）。
〔態様１０〕
前記第１および第２の端部フレーム部材（１０６）が前記折畳み位置で内向きに折重なり、前記展開位置で前記折畳み式骨組み（１０２）を選択的に保持する係止可能なヒンジ（１３２）によって連結される、態様９に記載の可搬式ステージシステム（１００、２００、３００）。
〔態様１１〕
前記折畳み式骨組み（１０２）が、複数のデッキ（１０４）を支持するために構成されている、態様９または１０に記載の可搬式ステージシステム。
〔態様１２〕
前記ピンコネクタアセンブリ（１４０）に組付く手摺（１８０）であって、
交差部材（１８２）と、
前記交差部材（１８２）を支持する脚部（１８４）と、
前記脚部（１８４）に取付けられ、前記ピン（１４６）を収容するために構成されたオリフィス（１９０）および前記コネクタアセンブリと係合するために構成された垂直方向係合用表面（１９２）を有するフランジ（１８８）を含む組付け用ブラケット（１８６）と、
を含む手摺（１８０）を含む、態様７に記載の可搬式ステージシステム（１００、２００、３００）。
〔態様１３〕
前記ピンコネクタアセンブリ（１４０）が、アーム（１４２Ａ、１４２Ｂ、１４２Ｃ）上に手摺組付け用表面（１５６）およびバックアップ組付け用表面（１５８）を含み、前記手摺（１８０）が前記ピンコネクタアセンブリ（１４０）に組付き、前記手摺組付け用表面（１５６）および前記バックアップ組付け用表面（１５８）は、前記手摺（１８０）をデッキ（１０４）の縁部に対して平行に位置付けするように配向されている、態様７に記載の可搬式ステージシステム（１００、２００、３００）。
〔態様１４〕
ピンコネクタアセンブリ（１４０）をさらに含み、前記ピンコネクタアセンブリが、ハウジング（１４２）から延在しアーム（１４２Ａ、１４２Ｂ、１４２Ｃ）上に組付けられた複数のピン（１４４、１４６）を含み、前記複数のピン（１４４、１４６）は、前記ピンの各々がデッキ（１０４）内の対応する貫通孔内に延在するように間隔取りされ構成され、前記ハウジング（１４２）は、前記デッキ（１０４）の下方で前記アームの１つ以上を位置付けするために回転可能に組付けされており、前記ピンコネクタアセンブリ（１４０）を選択された配向で位置付けするための解除アセンブリ（１４８）を含んでいる、態様１に記載の可搬式ステージ（１００、２００、３００）。
〔態様１５〕
前記解除アセンブリ（１４８）がハンドル（１５０）、ピン（１５２）およびバネ（１５４）を含み、前記ピン（１５２）が前記ハウジング（１４２）内で対応するオリフィスを通って選択的に延在する、態様１４に記載の可搬式ステージ（１００、２００、３００）。
【手続補正２】
【補正対象書類名】特許請求の範囲
【補正対象項目名】全文
【補正方法】変更
【補正の内容】
【特許請求の範囲】
【請求項１】
デッキ（１０４）であって該デッキ（１０４）を通って垂直に延在する貫通孔（１３６）を有するデッキ（１０４）と、
前記デッキ（１０４）の下方のフレーム（１０２）であって、垂直柱（１１８）を有するフレーム（１０２）と、
前記貫通孔（１３６）内に取外し可能な形で延在するピンであって、前記貫通孔を通して該ピンの上部表面で上方から係合されるように構成された頂部係合部分を有するピン（１４６）と、
前記フレーム（１０２）上に組付けられ、前記ピン（１４６）に取付けられ、前記ピン（１４６）が第１の方向に回転した時点で前記デッキ（１０４）を上昇させる、高さ調整アセンブリ（１６０）であって、該高さ調整アセンブリ（１６０）上で前記デッキ（１０４）が取り外し可能な形で支持される高さ調整アセンブリと、
を含む可搬式ステージシステム（１００、２００、３００）であって、
前記高さ調整アセンブリ（１６０）が、ブッシング（１６２）内に螺合式に組付けられたロッド部分（１６４）を含み、
前記ピン（１４６）と前記ロッド部分（１６４）は、前記ピン（１４６）の回転も、前記ロッド部分（１６４）を回転するように連結され、
ソケット（１６６）が、前記ロッド部分（１６４）に組み付けられ、前記ピン（１４６）を支持し、前記ピン（１４６）の回転は、前記ブッシング（１６２）及び前記垂直柱（１１８）の関係において前記ソケット（１６６）及び前記ピン（１４６）の軸方向の移動を提供する、
ことを特徴とする、可搬式ステージシステム（１００、２００、３００）。
【請求項２】
前記ピン（１４６）が第２の方向に回転した時点で前記高さ調整アセンブリ（１６０）が前記デッキ（１０４）を降下させる、請求項１に記載の可搬式システム（１００、２００、３００）。
【請求項３】
前記頂部係合部分が、相補的工具による上方からの係合のために構成され前記ピン（１４６）の上部表面にある工具係合要素を含む、請求項１または２に記載の可搬式システム（１００、２００、３００）。
【請求項４】
前記貫通孔（１３６）内で前記ピン（１４６）の周りに摺動可能に位置付けされたスリーブ（１３８Ａ）であって、前記ピン（１４６）の部分を収容し、前記ピン（１４６）の頂部と整列される通路を画定するスリーブ（１３８Ａ）をさらに含む、請求項１から３のいずれか１項に記載の可搬式ステージシステム（１００、２００、３００）。
【請求項５】
前記ステージ（１００）は複数のデッキ（１０４）を含み、
前記高さ調整アセンブリ（１６０）は、前記複数のデッキ（１０４）を支持するために構成されている複数のピン（１４６）を含む、請求項１から４のいずれか１項に記載の可搬式ステージシステム（１００、２００、３００）。
【請求項６】
ピンコネクタアセンブリ（１４０）を含み、前記ピンコネクタアセンブリ（１４０）がハウジング（１４２）および該ハウジング（１４２）から延在する複数のアーム（１４２Ａ、１４２Ｂ、１４２Ｃ）を含み、各アーム（１４２Ａ、１４２Ｂ、１４２Ｃ）が、上に組付けられたさらなるピン（１４４）を有し、前記さらなるピン（１４４）は、さらなるデッキ（１０４）の貫通孔（１３６）内に延在しさらなるデッキ（１０４）のコーナを支持するように間隔取りされている、請求項１から５のいずれか１項に記載の可搬式ステージシステム（１００、２００、３００）。
【請求項７】
前記複数のアームは、前記ハウジング（１４２）から延在する３つのアーム（１４２Ａ、１４２Ｂ、１４２Ｃ）を有する、請求項６に記載の可搬式ステージシステム（１００、２００、３００）。
【請求項８】
前記さらなるピン（１４４）は、該さらなるピン（１４４）が実質的に水平に延在する降下位置と、該さらなるピン（１４４）が垂直に延在する上昇位置との間で動くように、アーム（１４２Ａ、１４２Ｂ、１４２Ｃ）上に回転可能な形で組付けられており、前記ハウジング（１４２）は、前記デッキ（１０４）の下方に一つ以上前記アーム（１４２Ａ、１４２Ｂ、１４２Ｃ）を位置付けするために回転可能に組付けられる、請求項６または７に記載の可搬式ステージシステム（１００、２００、３００）。
【請求項９】
前記ピンコネクタアセンブリ（１４０）に組付く手摺（１８０）であって、
交差部材（１８２）と、
前記交差部材（１８２）を支持する脚部（１８４）と、
前記脚部（１８４）に取付けられ、前記ピン（１４６）を収容するために構成されたオリフィス（１９０）および前記コネクタアセンブリと係合するために構成された垂直方向係合用表面（１９２）を有するフランジ（１８８）を含む組付け用ブラケット（１８６）と、
を含む手摺（１８０）を含む、請求項６に記載の可搬式ステージシステム（１００、２００、３００）。
【請求項１０】
前記ピンコネクタアセンブリ（１４０）が、アーム（１４２Ａ、１４２Ｂ、１４２Ｃ）上に手摺組付け用表面（１５６）およびバックアップ組付け用表面（１５８）を含み、前記手摺（１８０）が前記ピンコネクタアセンブリ（１４０）に組付き、前記手摺組付け用表面（１５６）および前記バックアップ組付け用表面（１５８）は、前記手摺（１８０）をデッキ（１０４）の縁部に対して平行に位置付けするように配向されている、請求項９に記載の可搬式ステージシステム（１００、２００、３００）。
【請求項１１】
前記複数のピン（１４４、１４６）は、前記ピンの各々がデッキ（１０４）内の対応する貫通孔内に延在するように間隔取りされ構成され、前記ハウジング（１４２）は、前記デッキ（１０４）の下方で前記アームの１つ以上を位置付けするために回転可能に組付けされており、前記ピンコネクタアセンブリ（１４０）を選択された配向で位置付けするための解除アセンブリ（１４８）を含んでいる、請求項６または７に記載の可搬式ステージ（１００、２００、３００）。
【請求項１２】
前記貫通孔（１３６）の端部でエンドキャップ（１３８Ｂ）をさらに有し、該エンドキャップ（１３８Ｂ）は前記貫通孔（１３６）内に前記スリーブ（１３８Ａ）を保持し、前記エンドキャップ（１３８Ｂ）は中央開口部を有する、請求項４に記載の可搬式ステージ（１００、２００、３００）。